(57)【要約】【課題】エアコン室外機等の比較的重量物を人力に任せて庇や壁等の高所に取り付けたり、外したりという危険な作業を無くし、大幅に作業時間とコストを削減する事である。【解決手段】本来、エアコン室外機等の取り付け架台を取り付ける為のアンカーボルト３等に、滑車１０、緩衝材５Ａや緩衝材５Ｃ等やウィンチ２等を取り付け、ウィンチ２でエアコン室外機の底側に回したロープ１を巻き上げ、或はロープ１Aでエアコン室外機の上面に取り付けた緩衝材５Ａ，５Ｂを介してロープ１を巻き上げ、希望の位置まで吊り上げると取り付け作業は完了する。滑車１０等の用い方でロープ１の通し方は色々になるが、つまり、一部を除き本自在架台は吊り上げ装置と取り付け架台の役目をするのであり、危険と作業時間とコストの削減に繋がるのである。【選択図】図１
2007046887.tif 000002
【特許請求の範囲】
【請求項１】
巻き胴に複数本のロープ１を巻き取れる様にしたウィンチ２とロープ１を設け、そのウィンチ２をアンカーボルト３やナット等の適当な手段で庇や壁等に固着し、ロープ１の一端はウィンチ２の巻き胴に係止し、他方端は床等に仮置きしているエアコン室外機４の底側の左右端側それぞれに適当な手段で取り付けたロープずれ防止装置６を介して通してから他方のアンカーボルト３に適当な手段で係止し、エアコン室外機４の上面に緩衝材５を載せて使用するエアコン室外機４の昇降及び、取り付け架台を兼ねた、主にロープ１とウィンチ２からなる所謂、吊り上げ装置そのものを取り付け架台とする方法と本自在架台。
【請求項２】
請求項１のロープ１の一端側のみを巻き取る片吊りの方法に対して、結果的にロープ１がループ状になる様にロープ１の両端ともウィンチ２の巻き胴に巻き取られる様にロープ１の経由手段のひとつである滑車１０等を庇や壁、或はウィンチ２内等に適当な手段で設け、両吊りとした請求項１の自在架台。
【請求項３】
壁等に本自在架台を用いる際にウィンチ２とは別に補助材７等の部材を設けて用いる自在架台。
【請求項４】
ロープ１の両端共巻き上げる両吊りの場合に於いてロープずれ防止装置６の代わりに据付手段１２を設け、その上にエアコン室外機等の取り付け目的物をただ載せるか適当な手段で固定し、据付手段１２そのものにロープ１を係止して吊り上げるか、ロープ１を据付手段１２の底側を通して吊り上げる様にした請求項２及び請求項３の自在架台。
【請求項５】
中程、或いは両端側に滑車１０やロープ１の係止手段を設けた緩衝材５Aを設け、それを吊り上げ目的物のエアコン室外機４等の上面の左右側に適当な締め器１３等を用いてフレキシブルな条材のロープ１Aで縛り取り付けるか、代わりに緩衝材５Aをエアコン室外機４等の底側に設ける部材の据付手段１２や据付部材１２A等とで適当な連結部材１２Bを用いてエアコン室外機４等を上下から挟み込む形で取り付け、緩衝材５Aを介して、庇や壁等に適当な手段で取り付けたウィンチ２でエアコン室外機４等を吊り上げ、庇や壁等の取り付け目的場所に設けたアンカーボルト３等に取り付ける方法と本自在架台。
【請求項６】
緩衝材５Aを庇や壁等の取り付け場所側に取り付ける緩衝材５Cと、取り付け目的物のエアコン室外機４等の上面側の左右に取り付ける緩衝材５Bとにふたつに分割して設け、その両方の緩衝材５Bと緩衝材５Cとを吊り上げ完了時に取り外し可能にワンタッチで咬合一体化出来る手段を設けた請求項５の自在架台。
【請求項７】
ウィンチ２と緩衝材５Ａ或は緩衝材５Ｂ又は５Ｃとをワンタッチで取り外し可能に咬合一体化するか、ボルトナット等の適当な手段で一体化出来る手段をウィンチ２と緩衝材５Ａ或は緩衝材５Ｂ又は５Ｃの端面側か端面側の下方に設けて、結果的にウィンチ２を庇や壁等に取り付けるのではなく、緩衝材５Ａ或は緩衝材５Ｂ、５Ｃの何れかに取り付け、ウィンチ２を取り外し可能にした請求項５及び請求項６の自在架台。
【請求項８】
ウィンチ２を緩衝材５A、緩衝材５B又は緩衝材５C内に一体に設けるか着脱可能に設けてウィンチ２が緩衝材の役目も兼ねる様にした、請求項５、請求項６及び請求項７の自在架台。
【請求項９】
ウィンチ２を電動ドライバーや電動ドリル等の電動工具等でも操作できる様に、巻き取りハンドルがはまるシャフトにその手段を設けるか、スイッチひとつで操作できる様に電動装置をウィンチ２に設けた請求項１、請求項２、請求項３、請求項４、請求項５、請求項６、請求項７及び請求項８の自在架台。
【請求項１０】
ウィンチ２を使用しないで、エアコン室外機４等の取り付け目的物を取り付ける請求項５、請求項６及び請求項７の自在架台。
【請求項１１】
吊り上げ時に左右のロープ１の長さを調整するロープ長調整器１５。
【発明の詳細な説明】
【技術分野】
【０００１】
本発明は、主にエアコン室外機等の重量物を高所の庇や壁等に取り付ける、取り付け架台に関するものである。
【背景技術】
【０００２】
従来はエアコン室外機等を、所謂、公団吊りなどと称して集合住宅等のベランダの高所の庇や壁にエアコンの室外機を取り付ける時、鋼製の架台を庇、或は壁に取り付け、後にその架台にエアコンの室外機を腕力のある人は一人で、又は二人掛りで脚立、はしご等を使用し取り付けているのである。
【特許文献１】特許出願２００１−３９０９６３
【発明の開示】
【発明が解決しようとする課題】
【０００３】
従来は高所の庇や壁等にエアコン室外機等の比較的重量物を取り付けるのに、鋼製の取り付け架台をアンカーボルト等で取り付け、それからその架台に脚立等を用いて一人又は二人で載せていたのである。これらの高所に取り付けたり、外したりという危険な作業から作業者を解放する事と大幅なコスト削減である。
【課題を解決するための手段】
【０００４】
発明者は、前記の課題を解決する為にはどのようにすれば良いかとあれこれ思案し、実験も重ねた結果、ようやく本発明を完成させる事が出来た。本発明に係る自在架台とその方法はその課題を解決したものであって、次のようなものである。
【０００５】
先ず、本発明に係る自在架台は本来、エアコン室外機４等を載せる従来の取り付け架台を取り付ける為のアンカーボルト３等に、一般に市販されている様な簡単な構造のウィンチ２を設け、それと適当な長さに設けたロープ１をエアコン室外機４の底側の左右端側にそれぞれ通し、そのロープ１のそれぞれの一端をアンカーボルト３とウィンチ２に取り付け、又は通して、ウィンチ２を操作して目的のエアコン室外機４を希望の位置迄、巻き上げるとエアコン室外機４の取り付けは終了する。巻き上げ作業と取り付けを安全確実なものにする為に、後の実施例で紹介する緩衝材５やロープずれ防止装置６等の小物を使用したほうがより好ましい。
【０００６】
又、後だしの実施例では、ロープ１は所謂、一般的な普通の丸型のものを示しているが、ロープ１は帯状のものでも、チェーン状、鎖状のものでも目的を果たせればどんな形状、材質でも良い。本発明者はこれを考案するに当たり心血を注いだのは、安全性と使い易さ及び製作コストである。拠って出来るだけシンプルにした。ウィンチ２も然りである。ロープ１を取り付ける側のアンカーボルト３には実施例１では所謂、アイボルトを使用しているが、もっと適当な使い易い安価な金具が有ればそれを使用すれば良い。ロープ１を確実に取り付けられればどの様な金具でも良い。
【０００７】
又、吊り上げの終了間際に左右のロープ１の長さが均等でなくなった場合、エアコン室外機４は傾くので、これを調整するロープ長調整器１５を設け、ロープ１のどの位置でも良いから、それをはめて左右のロープ長を均等になるように調整する。
【０００８】
緩衝材５Ａや緩衝材５Ｂ等をエアコン室外機４等の上面側に縛り取り付けるロープ１Ａはフレキシブルな部材であれば、どのような形状、材質でも良いが耐久性の有るものを使用したい。又、その際に用いる締め器１３の位置はどこに用いても良い。又、ロープ１Aの様なフレキシブルな条材の代わりに、エアコン室外機４等を上下から挟みこむ様な形で、上側には緩衝材５A、緩衝材５C等を、底側には据付手段１２や据付部材１２A等の適当な部材を用い、それらを連結部材１２B等の適当な部材で連結しても結果的に緩衝材５Aや緩衝材５C等がエアコン室外機４等の上面に取り付けられるのである。又、当然ではあるが、緩衝材５Aや５C及び据付手段１２や１２A、そして連結部材１２B等を最初から所謂、箱型状に組み付けたものの中にエアコン室外機４等の取り付け目的物を装着しても良いのである。
【０００９】
又、緩衝材５Ｂと緩衝材５Ｃとを咬合させた際には、互いがずれたり、外れたりしない様にする為にロックねじ等を用いた方がより好ましい。又、緩衝材どうしを咬合一体化する方法はワンタッチで噛み合わせたり、ボルトナット等に限らず、ピン等を差し込んで止めたりしても良く、簡単に止められ、外せればその方法にはこだわらない。ウィンチ２を緩衝材５Ｂや５Ｃに咬合させる場合も同様である。
【００１０】
又、滑車１０の用い方次第でロープ１の通し方は多様に変わるので、どの様な通し方でもエアコン室外機４等を安全確実に吊り上げられれば特にこだわらないが、なるべくシンプルにした方が良い。又、片吊りはロープ１の一方端のみをウィンチ２で巻き取る事であり、両吊りとはロープ１の両端共ウィンチ２で巻き取る事であり、片吊りの場合は滑車を何段にしても良い。
【発明の効果】
【００１１】
エアコン室外機等の比較的重量物を人力に任せて原始的な方法で庇や壁等の高所に取り付けたり、外したりという危険な作業を無くし、大幅に作業時間とコストを削減する事が出来る。
【発明を実施するための最良の形態】
【００１２】
エアコン室外機等の比較的重量物を高所の庇や壁等へ取り付けたり外す作業に於ける、危険と作業コストを削減するという目的を従来の取り付け架台を使用せず、主にロープ１とウィンチ２で出来、同時にそれがそのままエアコン室外機の取り付け架台になり、しかもメンテナンスや取替えの時はウィンチを操作するだけでエアコン室外機等の取り外し、取り付けが簡単に行なえる事が可能になった。
【００１３】
又、請求項５等のようにウィンチ２を庇等に取り付けた場合でも吊り上げた後に緩衝材５Ａをアンカーボルト３等で止める場合やウィンチ２を取り外し可能にした場合は緩衝材５Ａや緩衝材５Ｂ，５Ｃのみを新たに用意すればウィンチ２を繰り返し使用出来るので経済的である。
【００１４】
又、二人以上で作業する場合はウィンチ２を使用せず、緩衝材５Ａや緩衝材５Ｂ、５Ｃのみを使用する事も出来る。この方法の利点はウィンチを使用する手間が省け、部材のコストが抑えられる事である。
【実施例１】
【００１５】
本発明の実施例を、図１及び図２に基づいて説明する。
図１及び図２は、実施例１のものの構造及び作用を示す横側と正面から見た図である。建物の庇にアンカーボルト３を４箇所取り付け、一方の２箇所のアンカーボルト３には、ウィンチ２をナット等で庇に取り付けている。片方の２箇所のアンカーボルト３にはロープ１を取り付け或は通し易いようにアイボルトを採用している。その穴に、床に仮置きしているエアコン室外機の底に回したロープ１の一端を容易に外れない様に取り付け、他方端はウィンチの巻き胴に開けてある穴に通し、見た目には一本のロープ１が２本になるようにしてある。ロープ１の通し方は、左右最低一本ずつ以上になる様になれば、通し方の制限は無い。又、ここでは一本のロープを切らずに用いているが、最初から複数本のロープを使用しても良い。エアコン室外機４が左右に傾かず、均等に吊り上げられれば、それで良いのである。又、特に必要ではないが、ロープ１の万が一の横ずれ防止と摩擦軽減の為にエアコンの底角にロープずれ防止装置６を４箇所、両面テープにて取り付け用いているが他の適当な取り付け方でも良いし取り付け個数にも拘らない。要するにロープずれ防止装置６がずれなく、最終的にロープ１の位置がずれなければ良い。
【００１６】
この実施例ではアンカーボルト３にアイボルトを採用しているが、これはロープ１を取り付け、或は通し易いようにする為である。前記の目的が果たせれば他の適当な金具をアイボルトの代わりに使用しても良い。
【００１７】
ここではロープずれ防止装置６は断面が凹型の樹脂製の物を用いているが、これにこだわらない、１本のチュウブ状の物でも良いし、小さなローラを組み合わせたものや滑車等でも良い。要するに前記の役目を果たせればどの様な構造、形状、材質でも良い。
【００１８】
ウィンチ２のハンドルを巻き上げ方向に回すとロープ１はウィンチ２に巻き上げられ、それに伴い、エアコン室外機４は上方に引き上げられる。これも特に必要ではないが、エアコン室外機４の上に、取り付け後容易に動かないようにする為と上面の傷つき防止の為に予め、緩衝材５を置いておく。エアコン室外機４の上面が緩衝材５を介して庇に密着するまでウィンチ２を巻き上げたら、エアコン室外機の取り付け完了である。
【００１９】
又、ここではウィンチ２はハンドルを手動で回す様になっているが、ハンドルを外して電動工具でもウィンチを回す事が出来るように、ハンドルがはまるシャフトの形状に適当な工夫を加えても良い。
【００２０】
ロープ１と簡単な構造のウィンチ２がエアコン室外機等を省力で吊り上げられるだけでなく、エアコン室外機の取り付け架台の役目も果たしているので、一人でも、安全に早く作業が遂行出来る。そして、メンテナンス等や取り替え等のときは、ウィンチ２のハンドルを巻き下げ方向に回したら、エアコン室外機４は床まで容易に降ろす事が出来る。又、本発明は建物の庇部分だけでなく、垂直の壁の高所にも用いる事が出来るのである。
【実施例２】
【００２１】
実施例１では普通より長い巻き胴のウィンチを使用しているが、図９に示す様に巻き胴を二つに分割して、一つのハンドルで左右のロープ１を同時に巻き上げ出来る様にシャフトを連結した物、或いはその時のエアコン室外機４の横幅に合わせられる様に後でシャフトを連結出来る様にした物でも良いが、コスト高になるので、注意したい。
【実施例３】
【００２２】
実施例３を説明する。図１０に示す様に、壁面に取り付けてある従来の取り付け金具に利用する事も出来る。従来の壁面用取り付け金具にボルト等の適当な手段で固定するだけで良い。又、緩衝材５Ａや５Ｂ、５Ｃを用いる場合も同様である。
【実施例４】
【００２３】
実施例４を説明する。図１１及び図１２に示す様に、それぞれのロープ１の一端を、ウィンチ２内に設けた複数個の滑車１０を介してから巻き胴に巻き上げる例もある。これの利点は２本のロープ１を滑車１０に拠り、巻き胴の一部分に集める事も出来るので、ウィンチ２の巻き胴部分を短くにも出来ることである。又、図１３及び図１４はウィンチ２の巻き胴をエアコン室外機４に対してラジアルに設けた例であり、前述よりコストが低く抑えられる。この例も又、これまで同様に壁付けにも対応出来るのである。
【実施例５】
【００２４】
実施例５を図１６及び図１７に基づいて説明する。これまではエアコン室外機４の底側より吊り上げていたが、緩衝材５Ａをエアコン室外機４の上部側にロープ１Ａ等で縛り付け一体化する事に拠りエアコン室外機４の上部側を吊り上げる事が可能になった。又、ここではウィンチ２は庇に取り付けてあるが、緩衝材５Ａの端面側かその端面の下方にウィンチ２を取り外し可能に取り付ける事も可能である。又、図に表してないがこれも図４の補助材７等を用いた場合や図６、図７、図８、図９、図１０等のように壁等にも用いる事が出来るのである。
【実施例６】
【００２５】
実施例６を図１８、図１９、図２０、図２８及び図２９に基づいて説明する。緩衝材を緩衝材５Ｂと緩衝材５Ｃとに別体に設けて、それぞれをアンカーボルト３やロープ１Ａを用いて庇とエアコン室外機４に取り付けて、吊り上げ時に互いに咬合一体化できる様にしてある。ウィンチ２は緩衝材５Ｃの方に咬合して取り付けてあるが、図２０の様に緩衝材５Ｂの方に取り付けても良い。この場合は、吊り上げ始めは手元でウィンチ２を操作できる。ウィンチ２は庇にアンカーボルトで直接取り付けても良いが、アンカーボルトの数が増えるので薦めない。又、図２８は壁等に取り付ける場合のほんの一例であり、図２９は緩衝材５Bを据付部材１２A等や連結部材１２B等を結果的に箱型状に組み付けたものの中にエアコン室外機４等の取り付け目的物を装着して取り付けた場合の一例である。尚、当然であるが、緩衝材５Bは緩衝材５Aでも良く、据付部材１２Aは据付手段１２でも良く、連結部材１２Bはどんな形状、材質でも良い。
【実施例７】
【００２６】
実施例７を図２２に基づいて説明する。ウィンチ２を庇にアンカーボルト３等で取り付け、緩衝材５Ａをエアコン室外機４の左右にロープ１Ａと締め器１３で取り付けてある。その左右の緩衝材５Ａの中程どうしを渡り部材１４で取り外し可能に連結してある。その渡り部材１４を一本のロープ１で、ほぼ重心を取り、吊り上げ、後に緩衝材５Ａをアンカーボルト３で取り付けるものである。これは実施例５での２本のロープ１を使用する場合に比べて重心を取るのが少し面倒である。
【実施例８】
【００２７】
実施例８を図２７に基づいて説明する。ウィンチ２を緩衝材５Cの中程に一体に設けて、ウィンチ２が緩衝材の役目も兼ねる様にしてある。この場合は構造上、ウィンチ部を設ける側の高さがその分、高くなるということであるが、ウィンチ２を別体に設けるよりも全体的にコンパクトになる。又、少しでも施工コストのダウンを計る為にウィンチ部を取り外し可能に設けても良い。
【産業上の利用可能性】
【００２８】
従来は高所の庇や壁等にエアコン室外機等の比較的重量物を取り付けるのに、鋼製の取り付け架台を取り付け、それからその架台に脚立等を用いて一人又は二人で載せていたのである。本発明を用いる事で、これまでエアコン室外機等の比較的重量物を原始的な方法で高所に取り付けたり、外したりという、危険な作業から開放されると共に大幅な作業コストのダウンにも繋がるのである。
【図面の簡単な説明】
【００２９】
【図１】自在架台の実施例を横の方から見た図である。（実施例１）
【図２】自在架台の実施例をウィンチ２側の方から見た図である。（実施例１）
【図３】ロープ１の両端で吊り上げる例を横の方から見た図である。
【図４】補助材７を用いた時の例を横の方から見た図である。
【図５】壁等に用いた時の例を横の方から見た図である。
【図６】壁等に用いた両吊り時の例を横の方から見た図である。
【図７】壁等に用いた両吊り時の例を横の方から見た図である。
【図８】壁等に用いた両吊り時の例を横の方から見た図である。
【図９】ウィンチ２を二つに分割したウィンチ２側から見た図である。（実施例２）
【図１０】従来の取り付け金具に使用した横から見た図である。（実施例３）
【図１１】ウィンチ２に複数個の滑車を用いた例を横から見た図である。（実施例４）
【図１２】図１１をウィンチ２側から見た図である。（実施例４）
【図１３】ウィンチ２の巻き胴をラジアルに設けた横から見た図である。（実施例４）
【図１４】ウィンチ２の巻き胴をラジアルに設けたウィンチ側から見た図である。（実施例４）
【図１５】据付手段１２を用いた場合の横から見た図である。
【図１６】緩衝材５Ａを用いた場合の横から見た図である。（実施例５）
【図１７】緩衝材５Ａを用いた場合のウィンチ２側から見た図である。（実施例５）
【図１８】緩衝材５Ｂ，５Ｃを用いた場合の横から見た図である。（実施例６）
【図１９】図１８の例を両吊りにした場合の横から見た図である。（実施例６）
【図２０】図１８のウィンチ２を緩衝材５Ｂ側に取り付けた横から見た図である（実施例６）
【図２１】緩衝材５Bの両端側を吊り上げた場合の横から見た図である。
【図２２】渡り部材１４を用いた場合のウィンチ２側から見た図である。（実施例７）
【図２３】緩衝材５Ｂ及び緩衝材５Ｃの咬合の方法の一例を示した図である。
【図２４】緩衝材５Ｂとウィンチ２との咬合の方法の一例を示した図である。
【図２５】ロープ調整器１５を横から見た図である。
【図２６】ロープ調整器１５を正面から見た図である。
【図２７】ウィンチ２と緩衝材等を一体に設けた例の横から見た図である。（実施例８）
【図２８】壁等に用いた場合の一例の図である。（実施例６）
【図２９】緩衝材５Bを据付部材１２A等で連結し箱型状にした一例の図である。（実施例６）
【符号の説明】
【００３０】
１    ロープ
１Ａ  ロープ
２    ウィンチ
３    アンカーボルト
４    エアコン室外機
５    緩衝材
５Ａ  緩衝材
５Ｂ  緩衝材
５Ｃ  緩衝材
６    ロープずれ防止装置
７    補助材
１０  滑車
１１  滑車装置
１２  据付手段
１２A据付部材
１２B連結部材
１３  締め器
１４  渡り部材
１５  ロープ調整器
【図１】
2007046887.tif 000003
【図２】
2007046887.tif 000004
【図３】
2007046887.tif 000005
【図４】
2007046887.tif 000006
【図５】
2007046887.tif 000007
【図６】
2007046887.tif 000008
【図７】
2007046887.tif 000009
【図８】
2007046887.tif 000010
【図９】
2007046887.tif 000011
【図１０】
2007046887.tif 000012
【図１１】
2007046887.tif 000013
【図１２】
2007046887.tif 000014
【図１３】
2007046887.tif 000015
【図１４】
2007046887.tif 000016
【図１５】
2007046887.tif 000017
【図１６】
2007046887.tif 000018
【図１７】
2007046887.tif 000019
【図１８】
2007046887.tif 000020
【図１９】
2007046887.tif 000021
【図２０】
2007046887.tif 000022
【図２１】
2007046887.tif 000023
【図２２】
2007046887.tif 000024
【図２３】
2007046887.tif 000025
【図２４】
2007046887.tif 000026
【図２５】
2007046887.tif 000027
【図２６】
2007046887.tif 000028
【図２７】
2007046887.tif 000029
【図２８】
2007046887.tif 000030
【図２９】
2007046887.tif 000031